(57)【要約】【課題】電力融通を支援する。【解決手段】電力融通支援装置が、供給者が供給可能な電力の品質である供給品質と、供給者から電力を供給される需要家が要求する電力の品質である要求品質とに基づいて、供給者が需要家に供給する電力の品質である契約品質を決定する品質決定部と、品質決定部が決定した契約品質に基づいて、供給者が需要家に供給する電力の対価を決定する対価決定部と、を備える。【選択図】図１
2016062538.tif 000002
【特許請求の範囲】
【請求項１】
供給者が供給可能な電力の品質である供給品質と、前記供給者から電力を供給される需要家が要求する電力の品質である要求品質とに基づいて、前記供給者が前記需要家に供給する電力の品質である契約品質を決定する品質決定部と、
前記品質決定部が決定した前記契約品質に基づいて、前記供給者が前記需要家に供給する電力の対価を決定する対価決定部と、
を備えることを特徴とする電力融通支援装置。
【請求項２】
前記電力の品質は、電力の交流または直流の種別と、定格電圧と、定格電流と、定格電力量と、供給者から需要家への給電中に停電が発生する確率と、当該停電が発生する時間帯と、当該停電の継続時間と、当該停電の発生頻度とのうち少なくともいずれかの項目を含めて定められる
ことを特徴とする請求項１に記載の電力融通支援装置。
【請求項３】
前記品質決定部が決定した契約品質に基づいて、前記供給者から前記需要家に電力を供給させる電力供給制御部
を備えることを特徴とする請求項１または請求項２に記載の電力融通支援装置。
【請求項４】
前記電力供給制御部は、前記供給者と前記需要家とがそれぞれ備える電力設備においてそれぞれの電力設備の内部から外部に電力を供給する方向と、外部から内部に電力を供給する方向とを切替える切替装置に対して制御信号を送信して方向を切替えさせることにより、前記供給者から前記需要家に電力を供給させる
ことを特徴とする請求項３に記載の電力融通支援装置。
【請求項５】
前記供給者の供給者端末から、当該供給者が供給可能な電力の品質を示す供給品質情報を受信する供給品質情報受信部と、
前記供給品質情報受信部が受信した供給品質情報のリストを、前記需要家の需要家端末に送信して表示させる供給品質情報リスト送信部と、
前記需要家の需要家端末に表示された前記供給品質情報のリストから、前記需要家によって選択されたいずれかの供給品質情報を示す選択供給品質情報を受信する選択供給品質情報受信部と、を備え、
前記品質決定部は、前記選択供給品質情報受信部が受信した前記選択供給品質情報が示す電力の品質を前記契約品質として決定する
ことを特徴とする請求項１から請求項４までのいずれか１項に記載の電力融通支援装置。
【請求項６】
前記需要家の需要家端末から、当該需要家が要求する電力の品質を示す要求品質情報を受信する要求品質情報受信部と、
前記要求品質情報受信部が受信した要求品質情報のリストを、前記供給者の供給者端末に送信して表示させる要求品質情報リスト送信部と、
前記供給者の供給者端末に表示された前記要求品質情報のリストから、前記供給者によって選択されたいずれかの要求品質情報を示す選択要求品質情報を受信する選択要求品質情報受信部と、を備え、
前記品質決定部は、前記選択要求品質情報受信部が受信した前記選択要求品質情報が示す電力の品質を前記契約品質として決定する
ことを特徴とする請求項１から請求項５までのいずれか１項に記載の電力融通支援装置。
【請求項７】
電力融通支援装置が、
供給者が供給可能な電力の品質である供給品質と、前記供給者から電力を供給される需要家が要求する電力の品質である要求品質とに基づいて、前記供給者が前記需要家に供給する電力の品質である契約品質を決定するステップと、
決定した前記契約品質に基づいて、前記供給者が前記需要家に供給する電力の対価を決定するステップと、
を実行することを特徴とする電力融通支援方法。
【請求項８】
電力融通支援装置のコンピュータに、
供給者が供給可能な電力の品質である供給品質と、前記供給者から電力を供給される需要家が要求する電力の品質である要求品質とに基づいて、前記供給者が前記需要家に供給する電力の品質である契約品質を決定するステップと、
決定した前記契約品質に基づいて、前記供給者が前記需要家に供給する電力の対価を決定するステップと、
を実行させる電力融通支援プログラム。
【発明の詳細な説明】
【技術分野】
【０００１】
本発明は、電力融通支援装置、電力融通支援方法、電力融通支援プログラムに関する。
【背景技術】
【０００２】
電力設備を制御する制御装置を通信網に接続してネットワーク化し、電力状況等を通信して電力供給を制御しようとするスマートグリッドなどともよばれる電力システムが研究されている。このような電力システムでは、電気事業者による電力系統に加えて、個人やマンション、工場、商業施設等の需要家が、蓄電設備や、太陽光発電や風力発電のような自然エネルギーに基づいて発電する発電設備を備え、需要家間で電力を融通することが想定されている（例えば、特許文献１参照）。
【先行技術文献】
【特許文献】
【０００３】
【特許文献１】特開２００６−２８８１６２号公報
【発明の概要】
【発明が解決しようとする課題】
【０００４】
しかしながら、このような自然エネルギーに基づく発電設備は気候などにより発電量が変動するため、必ずしも電力を安定に供給し得るものではない。このため、従来の電気事業者による電力供給に対する対価のように、一定の電気料金を定めておくことは困難である。そこで、このような供給する電力に応じた適切な対価を決定することにより、多様な電力融通を支援することが望ましい。
【０００５】
本発明は、このような状況に鑑みてなされたもので、電力融通を支援する電力融通支援装置、電力融通支援方法、電力融通支援プログラムを提供する。
【課題を解決するための手段】
【０００６】
上述した課題を解決するために、本発明の一態様は、供給者が供給可能な電力の品質である供給品質と、供給者から電力を供給される需要家が要求する電力の品質である要求品質とに基づいて、供給者が需要家に供給する電力の品質である契約品質を決定する品質決定部と、品質決定部が決定した契約品質に基づいて、供給者が需要家に供給する電力の対価を決定する対価決定部と、を備えることを特徴とする電力融通支援装置である。
【０００７】
また、本発明の一態様は、電力の品質が、電力の交流または直流の種別と、定格電圧と、定格電流と、定格電力量と、供給者から需要家への給電中に停電が発生する確率と、停電が発生する時間帯と、停電の継続時間と、停電の発生頻度とのうち少なくともいずれかの項目を含めて定められることを特徴とする。
【０００８】
また、本発明の一態様は、品質決定部が決定した契約品質に基づいて、供給者から需要家に電力を供給させる電力供給制御部を備えることを特徴とする。
【０００９】
また、本発明の一態様は、電力供給制御部が、供給者と需要家とがそれぞれ備える電力設備においてそれぞれの電力設備の内部から外部に電力を供給する方向と、外部から内部に電力を供給する方向とを切替える切替装置に対して制御信号を送信して方向を切替えさせることにより、供給者から需要家に電力を供給させることを特徴とする。
【００１０】
また、本発明の一態様は、供給者の供給者端末から、供給者が供給可能な電力の品質を示す供給品質情報を受信する供給品質情報受信部と、供給品質情報受信部が受信した供給品質情報のリストを、需要家の需要家端末に送信して表示させる供給品質情報リスト送信部と、需要家の需要家端末に表示された供給品質情報のリストから、需要家によって選択されたいずれかの供給品質情報を示す選択供給品質情報を受信する選択供給品質情報受信部と、を備え、品質決定部は、選択供給品質情報受信部が受信した選択供給品質情報が示す電力の品質を契約品質として決定する。
【００１１】
また、本発明の一態様は、需要家の需要家端末から、需要家が要求する電力の品質を示す要求品質情報を受信する要求品質情報受信部と、要求品質情報受信部が受信した要求品質情報のリストを、供給者の供給者端末に送信して表示させる要求品質情報リスト送信部と、供給者の供給者端末に表示された要求品質情報のリストから、供給者によって選択されたいずれかの要求品質情報を示す選択要求品質情報を受信する選択要求品質情報受信部と、を備え、品質決定部は、選択要求品質情報受信部が受信した選択要求品質情報が示す電力の品質を契約品質として決定することを特徴とする。
【００１２】
また、本発明の一態様は、電力融通支援装置が、供給者が供給可能な電力の品質である供給品質と、供給者から電力を供給される需要家が要求する電力の品質である要求品質とに基づいて、供給者が需要家に供給する電力の品質である契約品質を決定するステップと、決定した契約品質に基づいて、供給者が需要家に供給する電力の対価を決定するステップと、を実行することを特徴とする電力融通支援方法である。
【００１３】
また、本発明の一態様は、電力融通支援装置のコンピュータに、供給者が供給可能な電力の品質である供給品質と、供給者から電力を供給される需要家が要求する電力の品質である要求品質とに基づいて、供給者が需要家に供給する電力の品質である契約品質を決定するステップと、決定した契約品質に基づいて、供給者が需要家に供給する電力の対価を決定するステップと、を実行させる電力融通支援プログラムである。
【発明の効果】
【００１４】
以上説明したように、本発明によれば、電力融通支援装置が、供給者が供給可能な電力の品質である供給品質と、供給者から電力を供給される需要家が要求する電力の品質である要求品質とに基づいて、供給者が需要家に供給する電力の品質である契約品質を決定する品質決定部と、品質決定部が決定した契約品質に基づいて、供給者が需要家に供給する電力の対価を決定する対価決定部と、を備えるようにしたので、電力融通を支援することができる。
【図面の簡単な説明】
【００１５】
【図１】本発明の一実施形態による電力融通システムの構成を示すブロック図である。
【図２】本発明の一実施形態による供給品質情報のデータ例を示す図である。
【図３】本発明の一実施形態による要求品質情報のデータ例を示す図である。
【図４】本発明の一実施形態による入札履歴情報のデータ例を示す図である。
【図５】本発明の一実施形態によるオークション選択画面の例を示す図である。
【図６】本発明の一実施形態による売電オークション画面の例を示す図である。
【図７】本発明の一実施形態による買電オークション画面の例を示す図である。
【図８】本発明の一実施形態による売電オークションの動作例を示す図である。
【図９】本発明の一実施形態による買電オークションの動作例を示す図である。
【発明を実施するための形態】
【００１６】
以下、本発明の一実施形態について、図面を参照して説明する。
図１は、本実施形態による電力融通システム１の構成を示すブロック図である。電力融通システム１は、電力設備を制御する制御装置を通信網に接続してネットワーク化し、電力状況等を通信しあうことによって電力供給を制御するコンピュータシステムである。電力融通システム１は、親クラスタ部１００と、子クラスタ部２００と、子クラスタ部３００と、子クラスタ部４００と、ＥＭＳ（Energy Management System）装置５００と、電力融通支援装置６００とを備えている。
【００１７】
親クラスタ部と子クラスタ部とは電力網（給電経路１５１、給電経路１５２、給電経路１５３、給電経路１５４等）を介して接続されている。親クラスタ部１００が備える制御装置１１０と、子クラスタ部２００が備える制御装置２１０およびユーザ端末２３０と、子クラスタ部３００が備える制御装置３１０およびユーザ端末３３０と、子クラスタ部４００が備える制御装置４１０およびユーザ端末４３０と、ＥＭＳ装置５００と、電力融通支援装置６００とはネットワーク５を介して接続されている。ネットワーク５は、インターネット、ＷＡＮ（Wide Area Network）、ＬＡＮ（Local Area Network）、専用回線、電話網、またはこれらの組み合わせである有線または無線の通信網によって構成される情報通信ネットワークである。ここでは、３つの子クラスタ部（子クラスタ部２００、子クラスタ部３００、子クラスタ部４００）を明示して説明するが、親クラスタ部１００に接続された子クラスタ部は１つまたは２つでもよいし、４つ以上であってもよい。
【００１８】
親クラスタ部１００は、電力系統１０に接続された電力設備群であり、制御装置１１０と、受変電装置１２１と、変換装置１２２とを備えている。電力系統１０は、電気事業者から供給される商用電力系統である。
受変電装置１２１は、遮断器（ＣＢ（circuit breaker））、変圧器、及び保護継電器などを備え、電力系統１０から受電した電力の一部を変換装置１２２に供給する。例えば、受変電装置１２１は、電力系統１０から供給される高圧交流電圧（例えば、３相ＡＣ６６００Ｖ）を所定の低圧交流電圧（例えば、３相ＡＣ４００Ｖ）に降圧し、この低圧交流電圧を変換装置１２２に供給する。
変換装置１２２は、受変電装置１２１を介して電力系統１０から供給された電力の一部を所望の方式と電圧に変換して給電経路１５１に出力する。例えば、変換装置１２２は、商用交流電力を直流電力に変換する整流装置であり、受変電装置１２１から入力される低圧交流電圧を所定の電圧の直流電圧に変換して、給電経路１５１に出力する。
【００１９】
制御装置１１０は、ネットワーク５を介して他のコンピュータ装置と通信するコンピュータ装置であり、受変電装置１２１と変換装置１２２とを制御する。例えば、制御装置１１０は、受変電装置１２１と変換装置１２２とにおいてそれぞれ検出された受変電装置１２１と変換装置１２２の状態を示す情報をそれぞれ収集するとともに、収集した情報とＥＭＳ装置５００からの制御とに応じて受変電装置１２１と変換装置１２２とを制御する。
【００２０】
子クラスタ部２００は、個人やマンション、工場、商業施設等の需要家の電力設備群であり、親クラスタ部１００を介して電力系統１０に接続される。子クラスタ部２００は、制御装置２１０と、検出装置２２１と、変換装置２２２と、給電経路２２３と、発電装置２２４と、蓄電装置２２６と、負荷装置２２８と、ユーザ端末２３０とを備えている。
【００２１】
変換装置２２２は、給電経路１５２を介して供給された電力を変換して、給電経路２２３に供給する。また、変換装置２２２は、給電経路２２３を介して供給された電力を変換して、給電経路１５２に供給する。変換装置２２２は、制御装置２１０からの制御に応じて、変換後の電力の供給をするか否かと、変換後の電力を供給する方向、すなわち電力の変換方向を制御する。このように、変換装置２２２は、子クラスタ部２００の電力設備の内部から外部に電力を供給する方向と、外部から内部に電力を供給する方向とを切替える切替装置である。変換装置２２２は、出力状態を検出して、制御装置２１０からの要求に応じて検出結果を制御装置２１０に送出する。
【００２２】
検出装置２２１は、給電経路１５２に設けられており、給電経路１５２を介して子クラスタ部２００に供給され、子クラスタ部２００において使用される電力の電力量（電力使用量）を検出する。検出装置２２１は、制御装置２１０からの要求に応じて検出結果を制御装置２１０に送出する。
給電経路２２３には、変換装置２２２の他、発電装置２２４、蓄電装置２２６、負荷装置２２８が接続されている。給電経路２２３は、変換装置２２２、発電装置２２４、蓄電装置２２６から供給された電力を、他の各装置に供給する電路である。
【００２３】
発電装置２２４は、電力を発電する設備である。例えば、発電装置２２４は、自然エネルギーをもとにして発電し、発電した電力を制御装置２１０からの制御に応じて給電経路２２３に出力する。例えば、発電装置２２４は、太陽光発電、風力発電、小水力発電、地熱発電、潮力発電などの設備を含む。以下の説明では、太陽光発電を例にして説明する。
蓄電装置２２６は、変換装置２２２または発電装置２２４から給電経路２２３を介して供給される電力を、制御装置２１０からの制御に応じて蓄える。蓄電装置２２６は、蓄えた電力を、制御装置２１０からの制御に応じて給電経路２２３に出力し、給電経路２２３を介して変換装置２２２または負荷装置２２８に供給する。
負荷装置２２８は、変換装置２２２、発電装置２２４、蓄電装置２２６から給電経路２２３を介して供給される電力を消費する。
【００２４】
制御装置２１０は、変換装置２２２、発電装置２２４、蓄電装置２２６に関する設備情報、動作状態などの情報を収集する。制御装置２１０は、変換装置２２２、発電装置２２４、蓄電装置２２６からの情報を収集し、収集結果をＥＭＳ装置５００に通知する。変換装置２２２に関する設備情報には、定格出力電力量、定格出力電流等の情報が含まれる。変換装置２２２に関する動作状態などの情報には、出力電力量、出力電流、異常状態を示す情報などが含まれる。発電装置２２４に関する設備情報には、定格出力電力量(定格発電電力量)、定格出力電流等の情報が含まれる。発電装置２２４に関する動作状態などの情報には、発電電力量、出力電流、異常状態を示す情報などが含まれる。蓄電装置２２６に関する設備情報には、定格蓄電電力量(定格蓄電電力量、蓄電池容量)等の情報が含まれる。蓄電装置２２６に関する動作状態などの情報には、充電状態（ＳＯＣ（State of Charge））、異常状態を示す情報などが含まれる。
【００２５】
また、制御装置２１０は、ＥＭＳ装置５００からの制御に応じて、変換装置２２２、発電装置２２４、蓄電装置２２６を制御する。例えば、制御装置２１０は、変換装置２２２に対して、電力の変換の実施と、電力の変換方向を制御する。電力の変換方向の制御とは、自クラスタの外部から供給された電力を変換して自クラスタ内部に供給するのか、その逆に、自クラスタの内部から供給された電力を変換して自クラスタ外部に供給するのかの何れを選択するかを設定する制御のことである。また、制御装置２１０は、発電装置２２４に対して、発電した電力を出力するか否かを制御する。制御装置２１０は、蓄電装置２２６に対して、蓄えた電力を出力するか否かと、電力を蓄えるか否かとを制御する。
なお、子クラスタ部２００は、発電装置２２４、蓄電装置２２６、負荷装置２２８のうちの一部の構成を備えていなくてもよい。
【００２６】
ユーザ端末２３０は、子クラスタ部２００のユーザが利用するコンピュータ装置であり、例えば、ＰＣ（Personal Computer）、タブレットＰＣ、スマートフォン等の携帯電話端末等である。ユーザ端末２３０は、ユーザからの操作に応じて情報の入力を受け付ける入力部や、情報を表示する表示部、ネットワーク５を介して他のコンピュータ装置と通信する通信部等を備えている。また、ユーザ端末２３０は、例えばネットワーク５を介して接続されたウェブサーバと通信し、ウェブページを取得して表示部に表示したり、ユーザから入力された情報を送信したりする、いわゆるウェブブラウザの機能を有する。
【００２７】
子クラスタ部３００と子クラスタ部４００とは、子クラスタ部２００と同様の構成である。子クラスタ部３００は、制御装置３１０と、検出装置３２１と、変換装置３２２と、給電経路３２３と、発電装置３２４と、蓄電装置３２６と、負荷装置３２８と、ユーザ端末３３０とを備えている。子クラスタ部４００は、制御装置４１０と、検出装置４２１と、変換装置４２２と、給電経路４２３と、発電装置４２４と、蓄電装置４２６と、負荷装置４２８と、ユーザ端末４３０とを備えている。制御装置３１０および制御装置４１０と、検出装置３２１および検出装置４２１と、変換装置３２２および変換装置４２２と、給電経路３２３および給電経路４２３と、発電装置３２４および発電装置４２４と、蓄電装置３２６および蓄電装置４２６と、負荷装置３２８および負荷装置４２８と、ユーザ端末３３０およびユーザ端末４３０とは、それぞれ子クラスタ部２００が備える制御装置２１０と、検出装置２２１と、変換装置２２２と、給電経路２２３と、発電装置２２４と、蓄電装置２２６と、負荷装置２２８と、ユーザ端末２３０と同様の構成である。なお、例えばそれぞれの構成の容量等は、子クラスタごとに異なる値に定めることができる。本実施形態では、需要家または供給者であるユーザのクラスタとして主に子クラスタ部２００を例にして説明する。
【００２８】
ＥＭＳ装置５００は、親クラスタ部１００および子クラスタ部２００、３００、４００の制御装置（制御装置１１０、制御装置２１０、制御装置３１０、制御装置４１０）と通信し、各電力設備を制御するコンピュータ装置である。例えば、ＥＭＳ装置５００は、制御装置２１０を介して、変換装置２２２、発電装置２２４、蓄電装置２２６を制御する。ＥＭＳ装置５００は、制御装置２１０が変換装置２２２、発電装置２２４、蓄電装置２２６から収集した情報を、制御装置２１０を介して収集する。なお、電気事業者などの外部から得た情報に基づいて、変換装置２２２、発電装置２２４、蓄電装置２２６の制御状態をＥＭＳ装置５００が調整するようにＥＭＳ装置５００を構成してもよい。
【００２９】
電力融通支援装置６００は、ＥＭＳ装置５００と、親クラスタ部１００と、子クラスタ部２００と、子クラスタ部３００と、子クラスタ部４００とにネットワーク５を介して接続されたコンピュータ装置であり、各クラスタ間での電力融通を支援する。上述したように、子クラスタ部２００と、子クラスタ部３００と、子クラスタ部４００とは、例えば個人やマンション、工場、商業施設等の需要家の電力設備群であり、クラスタ内部の自然エネルギーに基づく発電設備から外部に電力を供給することが可能である。ただし、このような自然エネルギーに基づく電力は、気候などにより発電量が変動することなどにより、供給可能な電力の品質は多様なものとなる。そこで、供給者が供給する出力の品質と需要家が要求する電力の品質とをマッチングし、状況に応じた対価を決定して多様な電力融通を支援することが望ましい。
【００３０】
そこで、電力融通支援装置６００は、電力融通システム１が備える各クラスタの供給者が供給可能な電力の品質である供給品質と、その供給者から電力を供給される需要家が要求する電力の品質である要求品質との情報を収集し、電力のオークション（競売）を行う。また、電力融通支援装置６００は、オークションにより決定した電力品質と対価等に基づいて、供給者から需要家への電力供給を制御する。例えば、電力融通支援装置６００は、供給者から供給される電力に関する供給品質情報のリストを需要家のユーザ端末に対して送信して表示させ、需要家からの入札を受け付けるオークション（以下、売電オークションともいう）と、需要家が要求する電力に関する要求品質情報のリストを供給者のユーザ端末に対して送信して表示させ、供給者からの入札を受け付ける逆オークション（以下、買電オークションともいう）とのオークション（以下、単にオークションといったときは売電オークションと買電オークションとの双方を含む）制御処理を行う。以下、このようなオークション制御処理を詳細に説明する。電力融通支援装置６００は、通信制御部６１０と、記憶部６２０と、オークション制御部６３０と、電力供給制御部６４０とを備えている。
【００３１】
通信制御部６１０は、ネットワーク５を介して、制御装置１１０と、ユーザ端末２３０と、ユーザ端末３３０と、ユーザ端末４３０と、ＥＭＳ装置５００と通信する。
記憶部６２０は、供給品質情報記憶部６２１と、要求品質情報記憶部６２２と、入札履歴記憶部６２３とを備えており、各種情報が記憶される。
供給品質情報記憶部６２１には、供給者が供給可能な電力の品質である供給品質に関する情報である供給品質情報が記憶される。この供給品質情報に基づいて売電オークションが行われる。ここで、電力の品質とは、電力の交流または直流の種別と、定格電圧と、定格電流と、定格電力量と、供給者から需要家への給電中に停電が発生する確率と、その停電が発生する時間帯と、その停電の継続時間と、その停電の発生頻度とのうち少なくともいずれかの項目を含めて定められる。
【００３２】
図２は、供給品質情報記憶部６２１に記憶される供給品質情報のデータ例を示す図である。供給品質情報には、ユーザＩＤ（Identifier）と、連絡先と、クラスタＩＤと、オークションＩＤと、オークション期間と、供給期間と、交流／直流と、電気量（定格電圧（Ｖ）／定格電流（Ａ）／定格電力量（Ｗ））と、発電種別と、停電情報（停電発生確率／停電時間帯／停電継続時間／停電発生頻度）と、初期料金との情報が含まれる。このような供給品質情報は、その電力を供給する供給者のユーザ端末から電力融通支援装置６００に送信されて記憶される。
【００３３】
ユーザＩＤは、クラスタにおける供給者であるユーザを識別する情報である。連絡先は、対応するユーザの連絡先を示す情報であり、例えばメールアドレスや電話番号等が含まれる。クラスタＩＤは、供給品質情報によって示される電力を供給する電力設備を有するクラスタを識別する情報である。オークションＩＤは、売電オークションによる入札の対象である供給品質情報を識別する情報である。すなわち、後述するように、ひとつの供給品質情報に対する１または複数の入札に、同一のオークションＩＤを対応付けることによって、ひとつの供給品質情報に対する一連の入札を識別できる。オークション期間は、その供給品質情報によって行う売電オークションの開催期間を示す情報である。オークション期間は、例えば売電オークションの開始日と終了日とを示す年月日（例えば、ＹＹＹＹ／ＭＭ／ＤＤ形式）が対応付けられる。オークション期間は、例えば一定の所定期間（例えば、１５日間）とすることができる。
【００３４】
供給期間は、その供給品質情報によって示される品質により電力を供給する期間を示す情報である。供給期間は、例えば電力の供給開始日と供給終了日とを示す年月日（例えば、ＹＹＹＹ／ＭＭ／ＤＤ形式）が対応付けられる。この例では、オークション期間と供給期間とは年月日により示される例を示したが、時分秒まで含む情報（例えば、ＹＹＹＹ／ＭＭ／ＤＤ  ｈｈ：ｍｍ：ｓｓ形式）であってもよい。オークション期間と供給期間とは、年単位、月単位、日単位、時間単位で定められるものであってよく、ユーザによって任意の期間が定められるものであってもよい。交流／直流は、供給される電力が交流であるか直流であるかを示す情報であり、例えば交流であれば「ＡＣ」が対応付けられ、直流であれば「ＤＣ」が対応付けられる。
【００３５】
電気量（定格電圧（Ｖ）／定格電流（Ａ）／定格電力量（Ｗ））は、供給する電気の物理量を示す情報であり、例えば定格電圧（Ｖ）は供給する電圧を示し、定格電流（Ａ）は供給する電流を示し、定格電力量（Ｗ）は供給する電力量を示す。発電種別は、供給する電力を発電する設備を示す情報であり、例えば「太陽光」や「風力」等の種別が対応付けられる。
【００３６】
停電情報（停電発生確率／停電時間帯／停電継続時間／停電発生頻度）は、その電力の給電中に発生し得る停電に関する情報である。例えば、停電発生確率は停電が発生する確率を示し、停電時間帯はその停電が発生する時間帯を示し、停電継続時間はその停電が発生した場合にその停電が継続する時間（復旧するまでの時間）を示し、停電発生頻度は停電が発生する頻度を示す。例えば、発電種別が太陽光である場合、夜間は発電することができないため、停電発生確率は１００％である。この場合、停電時間帯は夜間の時間帯であり、例えば１７：００から６：００である。またこの場合、例えば停電継続時間は１３時間であり、停電発生頻度は毎日である。ここで、停電情報は季節等により異なる値を対応付けてもよい。またここで、例えば太陽光発電の場合、昼間でも気候によって停電することがあると考えられるため、昼間の停電について夜間とは異なる値を停電情報として対応付けておくこともできる。初期料金は、売電オークションにおける料金の初期値である。料金は、例えば月ごとの固定料金である。供給品質情報記憶部６２１は、複数の供給者から入力された複数の供給品質情報を記憶することができる。
【００３７】
要求品質情報記憶部６２２には、供給者から電力を供給される需要家が要求する電力の品質である要求品質に関する情報である要求品質情報が機構される。図３は、要求品質情報記憶部６２２に記憶される要求品質情報のデータ例を示す図である。この要求品質情報に基づいて買電オークションが行われる。供給品質情報には、ユーザＩＤ（Identifier）と、連絡先と、クラスタＩＤと、オークションＩＤと、オークション期間と、供給期間と、交流／直流と、電気量（定格電圧（Ｖ）／定格電流（Ａ）／定格電力量（Ｗ））と、発電種別と、停電情報（停電発生確率／停電時間帯／停電継続時間／停電発生頻度）と、初期料金との情報が含まれる。このような要求品質情報は、その電力を要求する需要家のユーザ端末から電力融通支援装置６００に送信されて記憶される。
【００３８】
要求品質情報に含まれる各項目の情報は、供給品質情報に含まれる各項目の情報と同様である。すなわち、ユーザＩＤは、クラスタにおける需要家であるユーザを識別する情報である。連絡先は、対応するユーザの連絡先を示す情報である。クラスタＩＤは、要求品質情報によって示される電力を要求する電力設備を有するクラスタを識別する情報である。オークションＩＤは、買電オークションによる入札の対象である要求品質情報を識別する情報である。オークション期間は、その要求品質情報によって行う買電オークションの開催期間を示す情報である。供給期間は、その要求品質情報によって示される品質により電力を要求する期間を示す情報である。交流／直流は、供給される電力が交流であるか直流であるかを示す情報である。電気量（定格電圧（Ｖ）／定格電流（Ａ）／定格電力量（Ｗ））は、要求する電気の物理量を示す情報である。停電情報（停電発生確率／停電時間帯／停電継続時間／停電発生頻度）は、その電力の給電中に許容し得る停電に関する情報である。初期料金は、買電オークションにおける料金の初期値である。要求品質情報記憶部６２２は、複数の需要家から入力された複数の要求品質情報を記憶することができる。
【００３９】
入札履歴記憶部６２３には、オークションの入札履歴を示す入札履歴情報が記憶される。図４は、入札履歴記憶部６２３に記憶される入札履歴情報のデータ例を示す図である。入札履歴情報には、オークションＩＤと、入札ユーザＩＤと、入札年月日と、料金との情報が含まれる。オークションＩＤは、供給品質情報記憶部６２１に記憶された供給品質情報または要求品質情報記憶部６２２に記憶された要求品質情報を識別する情報であり、売電オークションまたは買電オークションにおける入札対象を識別する情報である。入札ユーザＩＤは、その入札対象に対する入札を行ったユーザを識別する情報である。入札年月日は、入札が行われた年月日を示す情報である。この例では入札年月日は年月日である例を示すが、時分秒まで含む情報であってもよい。料金は、入札料金を示す情報である。
【００４０】
図１に戻り、オークション制御部６３０は、例えばウェブサーバの機能を備えており、ネットワーク５を介して他のコンピュータ装置と通信を行ってオークション制御処理を行う。オークション制御部６３０は、供給品質情報受信部６３１と、供給品質情報リスト送信部６３２と、選択供給品質情報受信部６３３と、要求品質情報受信部６３４と、要求品質情報リスト送信部６３５と、選択要求品質情報受信部６３６と、品質決定部６３７と、対価決定部６３８とを備えている。
【００４１】
供給品質情報受信部６３１は、売電オークションにおいて、供給者の供給者端末であるユーザ端末２３０から、その供給者が供給可能な電力の品質を示す供給品質情報を受信し、受信した供給品質情報を供給品質情報記憶部６２１に記憶させる。
【００４２】
供給品質情報リスト送信部６３２は、需要家の需要家端末であるユーザ端末２３０から売電オークション接続要求を受信すると、供給品質情報受信部６３１が受信して供給品質情報記憶部６２１に記憶させた供給品質情報のリストを読み出し、需要家の需要家端末であるユーザ端末２３０に送信して表示させる。図５は、オークション制御部６３０がユーザ端末２３０に送信して表示させるオークション選択画面の例を示す図である。オークション選択画面には、売電オークションを選択するボタンと、買電オークションを選択するボタンとを表示する。このオークション選択画面においてユーザによって売電オークションのボタンが押下されると、ユーザ端末２３０は、電力融通支援装置６００に売電オークション接続要求を送信する。
【００４３】
また、供給品質情報リスト送信部６３２は、ユーザ端末２３０から送信される売電オークション接続要求を受信すると、供給品質情報のリストを含む売電オークション画面をユーザ端末２３０に送信して表示させる。図６は、供給品質情報リスト送信部６３２がユーザ端末２３０に送信して表示させる売電オークション画面の例を示す図である。売電オークション画面には、例えば、オークション期間と、供給期間と、交流／直流と、電気量（定格電圧（Ｖ）／定格電流（Ａ）／定格電力量（Ｗ））と、発電種別と、停電情報（停電発生確率／停電時間帯／停電継続時間／停電発生頻度）と、現在料金／初期料金との情報を表示する。供給品質情報に含まれる項目と同名の項目については同様の情報であり、現在料金は、その供給品質情報について入札された最高額の料金を示す。
【００４４】
売電オークション画面に含まれる供給品質情報は、任意の情報によりソート（並び替え）した順番により表示することができる。例えば、初期状態ではオークション期間の終了日の降順にソートして表示し、ユーザからの要求に応じた任意の項目により並び替えて表示することができる。ここで、売電オークション画面に含まれる供給品質情報のリストには、それぞれの供給品質情報を識別するオークションＩＤが含まれるものとするが、オークションＩＤは画面に表示しなくてもよい。例えば、売電オークション画面をＨＴＭＬ（HyperText Markup Language）により構成する場合、オークションＩＤは隠しタグとして対応付けておき、画面には供給品質情報に含まれる情報のうち、需要家が要求する電力を選択するために有用な情報のみを表示することができる。
【００４５】
ここで、売電オークション画面における供給品質情報のそれぞれには、入札金額を入力するための操作子と、入札要求を入力するための操作子とを対応付けて表示させる。この例では、売電オークション画面の右端に入札金額テキストボックス９０１と入札ボタン９０２とを表示させている。需要家であるユーザによって入札金額テキストボックス９０１に現在料金を超える入札金額が入力され、入札ボタン９０２が押下されると、ユーザ端末２３０は、入札金額テキストボックス９０１に入力された入札金額と、押下された入札ボタン９０２に対応する供給品質情報を識別するオークションＩＤとを含む選択供給品質情報を、電力融通支援装置６００に送信する。
【００４６】
選択供給品質情報受信部６３３は、売電オークションにおいて、需要家の需要家端末であるユーザ端末２３０に表示された供給品質情報のリストから、その需要家によって選択されたいずれかの供給品質情報を示す選択供給品質情報を受信する。また、選択供給品質情報受信部６３３は、受信した選択供給品質情報に含まれるオークションＩＤと、選択供給品質情報を送信したユーザ端末２３０のユーザＩＤである入札ユーザＩＤと、現在日時である入札年月日と、選択供給品質情報に含まれる入札金額である料金とを対応付けた入札履歴情報を入札履歴記憶部６２３に記憶させる。
【００４７】
要求品質情報受信部６３４は、買電オークションにおいて、需要家の需要家端末であるユーザ端末２３０から、その需要家が要求する電力の品質を示す要求品質情報を受信し、受信した要求品質情報を要求品質情報記憶部６２２に記憶させる。
【００４８】
上述したオークション選択画面において買電オークションのボタンが押下されると、ユーザ端末２３０は、電力融通支援装置６００に買電オークション接続要求を送信する。
要求品質情報リスト送信部６３５は、供給者の供給者端末であるユーザ端末２３０から買電オークション接続要求を受信すると、要求品質情報受信部６３４が受信して要求品質情報記憶部６２２に記憶させた要求品質情報のリストを読み出し、供給品質情報のリストを含む買電オークション画面を、供給者の供給者端末であるユーザ端末２３０に送信して表示させる。
【００４９】
図７は、要求品質情報リスト送信部６３５がユーザ端末２３０に送信して表示させる買電オークション画面の例を示す図である。買電オークション画面には、例えば、オークション期間と、供給期間と、交流／直流と、電気量（定格電圧（Ｖ）／定格電流（Ａ）／定格電力量（Ｗ））と、発電種別と、停電情報（停電発生確率／停電時間帯／停電継続時間／停電発生頻度）と、現在料金／初期料金との情報を表示する。要求品質情報に含まれる項目と同名の項目については同様の情報であり、現在料金は、その要求品質情報について入札された最低額の料金を示す。
【００５０】
買電オークション画面に含まれる要求品質情報は、売電オークション画面に含まれる供給品質情報と同様にソートして表示することができる。またここで、売電オークション画面と同様に、買電オークション画面に含まれる要求品質情報のリストには、それぞれの要求品質情報を識別するオークションＩＤが含まれるものとするが、オークションＩＤは画面に表示しなくてもよい。また、売電オークション画面と同様に、買電オークション画面における要求品質情報のそれぞれには、入札金額を入力するための操作子と、入札要求を入力するための操作子とを対応付けて表示させる。この例では、買電オークション画面の右端に入札金額テキストボックス９１１と入札ボタン９１２とを表示させている。供給者であるユーザによって入札金額テキストボックス９１１に現在料金より低い入札金額が入力され、入札ボタン９１２が押下されると、ユーザ端末２３０は、入札金額テキストボックス９１１に入力された入札金額と、押下された入札ボタン９１２に対応する要求品質情報を識別するオークションＩＤとを含む選択要求品質情報を、電力融通支援装置６００に送信する。
【００５１】
選択要求品質情報受信部６３６は、買電オークションにおいて、供給者の供給者端末であるユーザ端末２３０に表示された要求品質情報のリストから、その供給者によって選択されたいずれかの要求品質情報を示す選択要求品質情報を受信する。また、選択要求品質情報受信部６３６は、受信した選択要求品質情報に含まれるオークションＩＤと、選択要求品質情報を送信したユーザ端末２３０のユーザＩＤである入札ユーザＩＤと、現在日時である入札年月日と、選択要求品質情報に含まれる入札金額である料金とを対応付けた入札履歴情報を入札履歴記憶部６２３に記憶させる。
【００５２】
品質決定部６３７は、供給者が供給可能な電力の品質である供給品質と、その供給者から電力を供給される需要家が要求する電力の品質である要求品質とに基づいて、供給者が需要家に供給する電力の品質である契約品質を決定する。例えば、品質決定部６３７は、供給品質情報記憶部６２１に記憶されている供給品質情報を読み出し、オークション期間の終了日が現在日（以前）である供給品質情報を検出する。
【００５３】
売電オークションでは、品質決定部６３７は、検出した供給品質情報に含まれるオークションＩＤに対応付けられて入札履歴記憶部６２３に記憶されている入札履歴情報のうち、料金が最も高い入札履歴情報を検出する。品質決定部６３７は、その供給品質情報に含まれるユーザＩＤが示すユーザを供給者とし、検出した入札履歴情報に含まれる入札ユーザＩＤが示すユーザを需要家として、その供給品質情報が示す品質の電力を融通するものとして決定する。すなわち、売電オークション期間内において、供給品質情報に対して最も高い料金を提示した需要家であるユーザが落札したものとして決定する。このように、品質決定部６３７は、選択供給品質情報受信部６３３が受信した選択供給品質情報が示す電力の品質を契約電力品質として決定する。
【００５４】
買電オークションでは、品質決定部６３７は、検出した要求品質情報に含まれるオークションＩＤに対応付けられて入札履歴記憶部６２３に記憶されている入札履歴情報のうち、料金が最も低い入札履歴情報を検出する。品質決定部６３７は、その要求品質情報に含まれるユーザＩＤが示すユーザを需要家とし、検出した入札履歴情報に含まれる入札ユーザＩＤが示すユーザを供給者として、その要求品質情報が示す品質の電力を融通するものとして決定する。すなわち、買電オークション期間内において、要求品質情報に対して最も低い料金を提示した供給者であるユーザが落札したものとして決定する。このように、品質決定部６３７は、選択要求品質情報受信部６３６が受信した選択要求品質情報が示す電力の品質を契約品質として決定する。
【００５５】
対価決定部６３８は、品質決定部６３７が決定した契約品質に基づいて、供給者が需要家に供給する電力の対価を決定する。例えば、対価決定部６３８は、売電オークションにおいて、品質決定部６３７が決定した供給品質情報を識別するオークションＩＤに対応付けられて入札履歴記憶部６２３に記憶されている料金のうち、最も高い料金を電力の対価として決定する。また対価決定部６３８は、買電オークションにおいて、品質決定部６３７が決定した要求品質情報を識別するオークションＩＤに対応付けられて入札履歴記憶部６２３に記憶されている料金のうち、最も低い料金を電力の対価として決定する。
【００５６】
電力供給制御部６４０は、品質決定部６３７が決定した契約品質に基づいて、供給者から需要家に電力を供給させる。例えば、電力供給制御部６４０は、売電オークションにおいて、品質決定部６３７が決定した契約品質である供給品質情報が示す供給期間の開始日から終了日までの間、その供給品質情報が示す供給者であるユーザの子クラスタ部の制御装置およびその供給品質情報が示す品質の電力を落札した需要家であるユーザの子クラスタ部の制御装置と通信し、供給者の子クラスタ部から需要家の子クラスタ部に、供給品質情報が示す品質の電力を供給するように制御する。
【００５７】
また、電力供給制御部６４０は、買電オークションにおいて、品質決定部６３７が決定した契約品質である要求品質情報が示す供給期間の開始日から終了日までの間、その要求品質情報が示す品質の電力を落札した供給者であるユーザの子クラスタ部の制御装置およびその要求品質情報が示す需要家であるユーザの子クラスタ部の制御装置と通信し、供給者の子クラスタ部から需要家の子クラスタ部に、要求品質情報が示す品質の電力を供給するように制御する。
この際、電力供給制御部６４０は、供給者と需要家とがそれぞれ備える電力設備においてそれぞれの電力設備の内部から外部に電力を供給する方向と、外部から内部に電力を供給する方向とを切替える切替装置である変換装置に対して制御信号を送信して方向を切替えさせることにより、供給者から前記需要家に電力を供給させる。ここで、電力供給制御部６４０は、ＥＭＳ装置５００を介して各子クラスタ部の制御装置と通信し、電力供給を制御するようにしてもよい。
【００５８】
次に、図面を参照して、本実施形態による電力融通システム１の動作例を説明する。
図８は、本実施形態による電力融通システム１による売電オークションの動作例を示す図である。ここでは、子クラスタ部２００のユーザを供給者とし、子クラスタ部３００のユーザを需要家として行う売電オークションの例を説明する。
【００５９】
子クラスタ部２００のユーザ端末２３０は、供給者であるユーザからの操作に応じて、電力融通支援装置６００に接続し、予め定められた自身のユーザＩＤ等のアカウント情報を送信してログインする。例えば、電力融通支援装置６００のオークション制御部６３０は、供給者が供給可能な電力の品質を示す供給品質情報の入力画面を、ユーザ端末２３０に送信する。ユーザ端末２３０は、電力融通支援装置６００から送信された供給品質情報の入力画面を表示する。ユーザ端末２３０は、供給者から供給品質情報の入力を受け付け（ステップＳ１）、入力された供給品質情報を電力融通支援装置６００に送信する（ステップＳ２）。電力融通支援装置６００の供給品質情報受信部６３１は、ユーザ端末２３０から送信された供給品質情報を受信すると、受信した供給品質情報を供給品質情報記憶部６２１に記憶させる（ステップＳ３）。
【００６０】
子クラスタ部３００のユーザ端末３３０は、需要家であるユーザからの操作に応じて、電力融通支援装置６００に接続し、予め定められた自身のユーザＩＤ等のアカウント情報を送信してログインする。電力融通支援装置６００のオークション制御部６３０は、オークション選択画面をユーザ端末３３０に送信する。ユーザ端末３３０は、送信されたオークション選択画面を表示する。オークション選択画面において、売電オークションを選択するボタンが押下されると、ユーザ端末３３０は、売電オークション接続要求を電力融通支援装置６００に送信する（ステップＳ４）。
【００６１】
電力融通支援装置６００のオークション制御部６３０が、ユーザ端末３３０から送信された売電オークション接続要求を受信すると、供給品質情報リスト送信部６３２は、供給品質情報記憶部６２１に記憶されている複数の供給品質情報のうち、現在日時がオークション開催期間の期間内である供給品質情報を、オークションの対象である供給品質情報として読み出し、読み出した供給品質情報のリストを含む売電オークション画面をユーザ端末３３０に送信する（ステップＳ５）。ここで、供給品質情報リスト送信部６３２は、供給品質情報の件数が多く１画面に収まらない場合には、複数のページごとに供給品質情報のリストを含む売電オークション画面をユーザ端末３３０に送信することもできる。
【００６２】
ユーザ端末３３０は、電力融通支援装置６００から送信された売電オークション画面を受信すると、受信した売電オークション画面を自身の表示部に表示させる。ユーザ端末３３０は、需要家であるユーザの操作に応じて、売電オークション画面に含まれる供給品質情報のリストからいずれかの供給品質情報が選択され、入札金額が入力されて入札ボタンが押下されると、選択された供給品質情報を識別するオークションＩＤと、ユーザ端末３３０のユーザＩＤである入札ユーザＩＤと、入力された入札金額である料金とを対応付けた選択供給品質情報を電力融通支援装置６００に送信する（ステップＳ６）。電力融通支援装置６００の選択供給品質情報受信部６３３は、ユーザ端末３３０から送信された選択供給品質情報を受信すると、受信した選択供給品質情報に現在日時である入札年月日を対応付けた入札履歴情報を、入札履歴記憶部６２３に記憶させる。
【００６３】
電力融通支援装置６００の品質決定部６３７は、例えば所定期間（例えば、１日）ごとに、供給品質情報記憶部６２１に記憶されている供給品質情報を読み出し、供給品質情報に含まれるオークション期間の終了日と現在日とを比較する。品質決定部６３７は、オークション期間の終了日が現在日である供給品質情報を検出し、検出した供給品質情報についてオークションを終了させる処理を行う。すなわち、品質決定部６３７は、検出した供給品質情報を識別するオークションＩＤに対応付けられて入札履歴記憶部６２３に記憶されている入札履歴情報を読み出し、読み出した入札履歴情報のうち、最も料金が高い入札履歴情報を検出する。品質決定部６３７は、最も料金が高い入札履歴情報に含まれる入札ユーザＩＤが示す需要家に、対応する供給品質情報が示す品質の電力を供給することを決定する（ステップＳ７）。対価決定部６３８は、最も料金が高い入札履歴情報に含まれる料金を、供給する電力の対価として決定する（ステップＳ８）。ここで、オークション制御部６３０は、例えば、供給品質情報に含まれる供給者の連絡先を宛先として、落札者である需要家の連絡先やクラスタＩＤ等の情報を通知することもできる。
【００６４】
電力融通支援装置６００の電力供給制御部６４０は、現在日が、ステップＳ７において決定した供給品質情報に含まれる供給期間の期間内である場合、供給品質情報に示される電力の品質に応じて、電力供給を制御する（ステップＳ９）。例えば、電力供給制御部６４０は、子クラスタ部２００の制御装置２１０と通信し、変換装置２２２に、子クラスタ部２００の内部から外部に電力を供給させるように方向を切替えさせる。また、電力供給制御部６４０は、子クラスタ部３００の制御装置３１０と通信し、変換装置３２２に、子クラスタ部３００の外部から内部に電力を供給させるように方向を切替えさせる。また、電力供給制御部６４０は、発電装置２２４や蓄電装置２２６、発電装置３２４や蓄電装置３２６を制御し、供給品質情報が示す品質の電力を供給させる。
【００６５】
このようにすれば、供給者は、自身の子クラスタ部２００が備える発電装置２２４によって発電した電力を、電力系統１０側に逆潮流させることなく、同一の親クラスタ部１００に属する子クラスタ部３００に対して供給することができるため、発電した電力を、効率良く需要家に供給することができる。同様に、需要家には、同一の親クラスタ部１００に属する子クラスタ部２００によって発電された電力を効率良く供給される。また、売電オークションにより、電気の物理量や停電時間等の電力の品質をマッチングし、双方が納得した上での対価により電力を売買することができる。これにより、売買する電力が自然エネルギーにより発電されるものであり、品質が多様である場合でも、効率良く電力融通を支援することが可能となる。
【００６６】
次に、買電オークションの動作例を説明する。図９は、本実施形態による電力融通システム１による買電オークションの動作例を示す図である。ここでは、子クラスタ部２００のユーザを需要家とし、子クラスタ部３００のユーザを供給者として行う買電オークションの例を説明する。
【００６７】
子クラスタ部２００のユーザ端末２３０は、需要家であるユーザからの操作に応じて、電力融通支援装置６００に接続し、予め定められた自身のユーザＩＤ等のアカウント情報を送信してログインする。例えば、電力融通支援装置６００のオークション制御部６３０は、需要家が要求する電力の品質を示す要求品質情報の入力画面を、ユーザ端末２３０に送信する。ユーザ端末２３０は、電力融通支援装置６００から送信された要求品質情報の入力画面を表示する。ユーザ端末２３０は、需要家から要求品質情報の入力を受け付け（ステップＳ２１）、入力された要求品質情報を電力融通支援装置６００に送信する（ステップＳ２２）。電力融通支援装置６００の要求品質情報受信部６３４は、ユーザ端末２３０から送信された要求品質情報を受信すると、受信した要求品質情報を要求品質情報記憶部６２２に記憶させる（ステップＳ２３）。
【００６８】
子クラスタ部３００のユーザ端末３３０は、供給者であるユーザからの操作に応じて、電力融通支援装置６００に接続し、予め定められた自身のユーザＩＤ等のアカウント情報を送信してログインする。電力融通支援装置６００のオークション制御部６３０は、オークション選択画面をユーザ端末３３０に送信する。ユーザ端末３３０は、送信されたオークション選択画面を表示する。オークション選択画面において、買電オークションを選択するボタンが押下されると、ユーザ端末３３０は、買電オークション接続要求を電力融通支援装置６００に送信する（ステップＳ２４）。
【００６９】
電力融通支援装置６００のオークション制御部６３０が、ユーザ端末３３０から送信された買電オークション接続要求を受信すると、要求品質情報リスト送信部６３５は、要求品質情報記憶部６２２に記憶されている複数の要求品質情報のうち、現在日時がオークション開催期間の期間内である要求品質情報を、オークションの対象である要求品質情報として読み出し、読み出した要求品質情報のリストを含む買電オークション画面をユーザ端末３３０に送信する（ステップＳ２５）。
【００７０】
ユーザ端末３３０は、電力融通支援装置６００から送信された買電オークション画面を受信すると、受信した買電オークション画面を自身の表示部に表示させる。ユーザ端末３３０は、供給者であるユーザの操作に応じて、買電オークション画面に含まれる要求品質情報のリストからいずれかの要求品質情報が選択され、入札金額が入力されて入札ボタンが押下されると、選択された要求品質情報を識別するオークションＩＤと、ユーザ端末３３０のユーザＩＤである入札ユーザＩＤと、入力された入札金額である料金とを対応付けた選択要求品質情報を電力融通支援装置６００に送信する（ステップＳ２６）。電力融通支援装置６００の選択要求品質情報受信部６３６は、ユーザ端末３３０から送信された選択要求品質情報を受信すると、受信した選択要求品質情報に現在日時である入札年月日を対応付けた入札履歴情報を、入札履歴記憶部６２３に記憶させる。
【００７１】
電力融通支援装置６００の品質決定部６３７は、例えば所定期間（例えば、１日）ごとに、要求品質情報記憶部６２２に記憶されている要求品質情報を読み出し、要求品質情報に含まれるオークション期間の終了日と現在日とを比較する。品質決定部６３７は、オークション期間の終了日が現在日である要求品質情報を検出し、検出した要求品質情報についてオークションを終了させる処理を行う。すなわち、品質決定部６３７は、検出した供給品質情報を識別するオークションＩＤに対応付けられて入札履歴記憶部６２３に記憶されている入札履歴情報を読み出し、読み出した入札履歴情報のうち、最も料金が低い入札履歴情報を検出する。品質決定部６３７は、最も料金が低い入札履歴情報に含まれる入札ユーザＩＤが示す供給者から、対応する要求品質情報が示す需要家に対して、要求品質情報が示す品質の電力を供給することを決定する（ステップＳ２７）。対価決定部６３８は、最も料金が低い入札履歴情報に含まれる料金を、供給する電力の対価として決定する（ステップＳ２８）。ここで、オークション制御部６３０は、例えば、要求品質情報に含まれる需要家の連絡先を宛先として、落札者である供給者の連絡先やクラスタＩＤ等の情報を通知することもできる。
【００７２】
電力融通支援装置６００の電力供給制御部６４０は、現在日が、ステップＳ２７において決定した要求品質情報に含まれる供給期間の期間内である場合、供給品質情報に示される電力の品質に応じて、電力供給を制御する（ステップＳ２９）。例えば、電力供給制御部６４０は、子クラスタ部２００の制御装置２１０と通信し、変換装置２２２に、子クラスタ部２００の外部から内部に電力を供給させるように方向を切替えさせる。また、電力供給制御部６４０は、子クラスタ部３００の制御装置３１０と通信し、変換装置３２２に、子クラスタ部３００の内部から外部に電力を供給させるように方向を切替えさせ、供給品質情報が示す品質の電力を供給させる。
【００７３】
このようにすれば、子クラスタ部２００の需要家は、自身が要求する品質の電力について、同一の親クラスタ部１００に属する子クラスタ部３００から供給を受けることができる。また、供給者は、自身の子クラスタ部３００が備える発電装置３２４によって発電した電力を、電力系統１０側に逆潮流させることなく、同一の親クラスタ部１００に属する子クラスタ部３００に対して供給することができるため、発電した電力を、効率良く需要家に供給することができる。また、買電オークションにより、電気の物理量や停電時間等の電力の品質をマッチングし、双方が納得した上での対価により電力を売買することができる。これにより、売買する電力が自然エネルギーにより発電されるものであり、品質が多様である場合でも、効率良く電力融通を支援することが可能となる。
【００７４】
また、本実施形態によれば、クラスタ間において自然エネルギーに基づいて発電した電力を効率良くマッチングすることができるため、全体として電力を平準化させることができる。また、需要家は、自身が要求する電力の対価を明確に把握することができるため、電力の節約に対する意識を高めることができ、省エネルギー（省エネ）に寄与することができる。
【００７５】
なお、本実施形態では、子クラスタ部２００と子クラスタ部３００と子クラスタ部４００とは、電力系統１０に対して親クラスタ部１００を介して階層的に接続される例を示したが、例えば電力系統１０が存在しないような状況において、親クラスタ部１００と、親クラスタ部１００に接続された子クラスタ部２００と子クラスタ部３００と子クラスタ部４００とが存在するような環境であってもよい。このような環境であっても、上述した電力融通支援を行うことができる。あるいは、例えば親クラスタ部１００が存在せず、複数の子クラスタが自律的に通信するＰ２Ｐ（Peer To Peer）のような環境であっても、上述した電力融通支援を行うことができる。
【００７６】
また、本実施形態では、ＥＭＳ装置５００と電力融通支援装置６００とを異なるコンピュータ装置として説明したが、ＥＭＳ装置５００と電力融通支援装置６００との機能を同一のコンピュータ装置が備えるように構成することもできる。
また、本実施形態では、電力融通支援装置６００が、ネットワーク５を介して各クラスタのユーザ端末から送信される供給品質情報や要求品質情報を収集して、ネットワーク５を介して各クラスタのユーザ端末に供給品質情報や要求品質情報を送信する例を示したが、供給品質情報と要求品質情報とのうち、いずれかまたは双方の情報を、例えば電力融通支援装置６００が備える入力部に直接入力されるようにすることもできる。すなわち、例えば供給者や需要家が、複数の供給者や需要家間で共通して使用する電力融通支援装置６００が設置された場所に赴き、電力融通支援装置６００が備えるキーボードやマウス等の入力部を操作して供給品質情報を入力したり、要求品質情報を入力したりするように構成することもできる。
【００７７】
また、本実施形態では、電力融通支援装置６００が、売電オークションと買電オークションとの双方のオークション制御処理を行う例を説明したが、電力融通支援装置６００は、売電オークションと買電オークションとのうちいずれかの制御処理のみを行うようにしてもよい。または、本実施形態では、一台のコンピュータ装置である電力融通支援装置６００が売電オークションと買電オークションとの双方のオークション制御処理を行う例を説明したが、売電オークションの制御処理を行うコンピュータ装置と、買電オークションの制御処理を行うコンピュータ装置とを別のコンピュータ装置として構成することもできる。
【００７８】
また、本実施形態における電力融通支援装置６００が備える各構成は、クラウド環境やネットワーク環境、電力系統１０や親クラスタ部１００の規模、子クラスタ部の規模や個数、ユーザ数や融通させる電力量、電力融通支援装置６００を構成するために用意されたハードウェアのスペックや数等に応じて、任意の台数のコンピュータ装置に分散または集約して配置することができる。
【００７９】
また、本実施形態では、例えば売電オークションにおいて、供給者が提示するひとつの供給品質情報に対して、１人の需要家を決定する例を説明した。ただし、例えば供給者が提示する電力が大きく、その供給品質情報に対して複数の需要家が要求する電力を賄える場合には、ひとつの供給品質情報が示す電力を複数の需要家に対して切り売りすることができるようにしてもよい。この場合、例えば売電オークション画面において、入札テキストボックスと入札ボタンとともに、需要家が要求する電力や時間帯を入力する操作子（例えば、テキストボックス）を表示させ、この操作子に入力された値に応じて、電力を需要家に供給するようにしてもよい。
【００８０】
また、本実施形態では、供給者と需要家との間で電力の売買を行う例を示したが、電力融通支援装置６００は、特定の供給者や需要家を特定しない状態で、例えば全ての子クラスタ部が供給可能な電力の総量から、各子クラスタ部が要求する電力を分配して切り売りするようにしてもよい。
【００８１】
また、本実施形態では、オークション期間として一定の所定期間を設けることとしたが、このオークション期間は、供給品質情報または要求品質情報を入力する供給者または需要家によって定めることができるようにしてもよい。あるいは、オークション期間を設けながらも、即決価格などを予め定めておき、即決価格に合致する入札があった場合には、その時点でオークションを終了させるように制御することもできる。
【００８２】
また、本実施形態では、供給する電力の対価は月ごとの固定料金である例を示したが、年ごとの固定料金としてもよいし、日数や月数を定めた任意の所定期間としてもよい。また、例えば所定期間（例えば、月）ごとの電力の使用量に応じた従量課金としてもよい。
また、本実施形態では、停電発生確率は、例えば太陽光発電である場合には夜間は停電するために１００％であるとする例を示したが、供給期間内において供給可能な時間と供給不可能な時間（停電時間）との比によって表すようなものであってもよい。また、例えば風力発電や、太陽光発電である場合の昼間の停電発生確率は、天気や風や気温等の過去の統計や時間変化に基づいて数値予報を行った結果の値等を適用することができる。
【００８３】
また、本実施形態では、発電装置によって発電された電力を複数の子クラスタ部間で融通する例を説明したが、子クラスタ部が備える蓄電装置を利用して変動抑制や負荷平準化を行い、電力融通システム１全体をより効率的に制御することもできる。
また、本実施形態において、交流と直流との双方の電力の売買を行う例を示したが、いずれかのみの電力の売買を行うものであってもよい。
【００８４】
なお、本発明における処理部の機能を実現するためのプログラムをコンピュータ読み取り可能な記録媒体に記録して、この記録媒体に記録されたプログラムをコンピュータシステムに読み込ませ、実行することにより電力融通支援を行ってもよい。なお、ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００８５】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００８６】
１  電力融通システム
５  ネットワーク
１０  電力系統
１００  親クラスタ部
１１０  制御装置
１２１  受変電装置
１２２  変換装置
１５１  給電経路
１５２  給電経路
１５３  給電経路
１５４  給電経路
２００  子クラスタ部
２１０  制御装置
２２１  検出装置
２２２  変換装置
２２３  給電経路
２２４  発電装置
２２６  蓄電装置
２２８  負荷装置
２３０  ユーザ端末
３００  子クラスタ部
３１０  制御装置
３２１  検出装置
３２２  変換装置
３２３  給電経路
３２４  発電装置
３２６  蓄電装置
３２８  負荷装置
３３０  ユーザ端末
４００  子クラスタ部
４１０  制御装置
４２１  検出装置
４２２  変換装置
４２３  給電経路
４２４  発電装置
４２６  蓄電装置
４２８  負荷装置
４３０  ユーザ端末
５００  ＥＭＳ装置
６００  電力融通支援装置
６１０  通信制御部
６２０  記憶部
６２１  供給品質情報記憶部
６２２  要求品質情報記憶部
６２３  入札履歴記憶部
６３０  オークション制御部
６３１  供給品質情報受信部
６３２  供給品質情報リスト送信部
６３３  選択供給品質情報受信部
６３４  要求品質情報受信部
６３５  要求品質情報リスト送信部
６３６  選択要求品質情報受信部
６３７  品質決定部
６３８  対価決定部
６４０  電力供給制御部
【図１】
2016062538.tif 000003
【図２】
2016062538.tif 000004
【図３】
2016062538.tif 000005
【図４】
2016062538.tif 000006
【図５】
2016062538.tif 000007
【図６】
2016062538.tif 000008
【図７】
2016062538.tif 000009
【図８】
2016062538.tif 000010
【図９】
2016062538.tif 000011